(57)【要約】【課題】庫内の冷却負荷の状況に合わせて冷却容量を選択することにより、冷却負荷に応じた最適な冷却運転を行うことができるユニットクーラーの運転方法を提供する。【解決手段】冷却貯蔵庫３の庫内上部に冷却コイル５を配置するとともに、吸込口６から吸い込んだ庫内空気を前記冷却コイル５で冷却して吹出口７から吹き出すファン８を備えた冷却貯蔵庫用ユニットクーラー１の運転方法において、前記冷却コイル５として、冷却容量が異なる複数の冷却コイル５ａ，５ｂを設け、庫内の冷却負荷に応じて複数の前記冷却コイル５ａ，５ｂの中から１台又は複数台の冷却コイルを選択して冷媒を導入する。【選択図】図１
2011169534.tif 000002
【特許請求の範囲】
【請求項１】
冷却貯蔵庫の庫内上部に冷却コイルを配置するとともに、吸込口から吸い込んだ庫内空気を前記冷却コイルで冷却して吹出口から吹き出すファンを備えた冷却貯蔵庫用ユニットクーラーの運転方法において、
前記冷却コイルとして、冷却容量が異なる複数の冷却コイルを設け、庫内の冷却負荷に応じて複数の前記冷却コイルの中から１台又は複数台の冷却コイルを選択して冷媒を導入することを特徴とするユニットクーラーの運転方法。
【請求項２】
前記冷却コイルへの送風量を、冷却コイルの冷却容量に対応させて設定したことを特徴とする請求項１記載のユニットクーラーの運転方法。
【請求項３】
前記冷却貯蔵庫内に輻射熱センサーを配置し、該輻射熱センサーが検出した輻射熱に応じて前記冷媒を導入する冷却コイルを選択することを特徴とする請求項１又は２記載のユニットクーラーの運転方法。
【請求項４】
前記冷却貯蔵庫内における作業状態と、該冷却貯蔵庫の周囲環境情報又は季節情報とにより、冷媒を導入する前記冷却コイルを選択することを特徴とする請求項１乃至３のいずれか１項記載のユニットクーラーの運転方法。
【請求項５】
一つの前記冷却貯蔵庫内に複数のユニットクーラーを設置するとともに、前記冷却貯蔵庫内に複数の輻射熱センサーを配置し、該複数の輻射熱センサーが検出した輻射熱に応じて複数の前記ユニットクーラーの中から１台又は複数台のユニットクーラーを選択して冷媒を導入することを特徴とする請求項１乃至４のいずれか１項記載のユニットクーラーの運転方法。
【発明の詳細な説明】
【技術分野】
【０００１】
本発明は、ユニットクーラーの運転方法に関し、詳しくは、食品などを冷却状態で貯蔵する冷却貯蔵庫内を冷却するために設けられているユニットクーラーの運転方法に関する。
【背景技術】
【０００２】
食品などを冷却状態で貯蔵する冷却貯蔵庫では、庫内を所定温度に冷却するための冷却設備としてユニットクーラーを設置している。このユニットクーラーは、一般的に、冷凍サイクルを構成する冷却コイルと、該冷却コイルに庫内空気を通して強制的に循環させるためのファンとを庫内上部に配置するとともに、庫内温度を測定する温度センサを庫内に配置したものであって、温度センサで検出した庫内温度が上限値に達したときに冷却運転を行い、庫内温度が下限値に達したときに冷却運転を停止するようにしている。
【０００３】
このようなユニットクーラーとして、庫内温度が下限値に達したときに、冷却コイルへの冷媒供給を停止するとともに、前記ファンの回転数を減速することにより、庫内空気の過剰な撹拌を防止しながら適度に庫内空気を循環させるようにしたユニットクーラーが提案されている（例えば、特許文献１参照）。
【先行技術文献】
【特許文献】
【０００４】
【特許文献１】特開平７−１１３５６９号公報
【発明の概要】
【発明が解決しようとする課題】
【０００５】
しかし、従来のユニットクーラーは、冷却運転の実行と停止とを繰り返して庫内を冷却するものであるから、庫内の冷却負荷やユニットクーラーの冷却性能によっては、冷却運転の実行と停止とを頻繁に繰り返すことになって冷却効率が低下したり、冷やし過ぎや冷却不良が発生したりすることがあり、十分な省エネルギーを図ることができなかった。
【０００６】
そこで本発明は、庫内の冷却負荷の状況に合わせて冷却容量を選択することにより、冷却負荷に応じた最適な冷却運転を行うことができるユニットクーラーの運転方法を提供することを目的としている。
【課題を解決するための手段】
【０００７】
上記目的を達成するため、本発明のユニットクーラーの運転方法は、冷却貯蔵庫の庫内上部に冷却コイルを配置するとともに、吸込口から吸い込んだ庫内空気を前記冷却コイルで冷却して吹出口から吹き出すファンを備えた冷却貯蔵庫用ユニットクーラーの運転方法において、前記冷却コイルとして、冷却容量が異なる複数の冷却コイルを設け、庫内の冷却負荷に応じて複数の前記冷却コイルの中から１台又は複数台の冷却コイルを選択して冷媒を導入することを特徴としている。
【０００８】
また、本発明のユニットクーラーの運転方法においては、前記冷却コイルへの送風量を、冷却コイルの冷却容量に対応させて設定することが好ましく、前記冷却貯蔵庫内に輻射熱センサーを配置し、該輻射熱センサーが検出した輻射熱に応じて前記冷媒を導入する冷却コイルを選択することが好ましい。また、前記冷却貯蔵庫内における作業状態と、該冷却貯蔵庫の周囲環境情報又は季節情報とにより、冷媒を導入する前記冷却コイルを選択することもできる。さらに、一つの前記冷却貯蔵庫内に複数のユニットクーラーを設置するとともに、前記冷却貯蔵庫内に複数の輻射熱センサーを配置し、該複数の輻射熱センサーが検出した輻射熱に応じて複数の前記ユニットクーラーの中から１台又は複数台のユニットクーラーを選択して冷媒を導入することもできる。
【発明の効果】
【０００９】
本発明のユニットクーラーの運転方法によれば、冷却容量が異なる複数の冷却コイルを選択して冷媒を導入することにより、庫内負荷の状況に合わせた冷却容量の冷却コイルを使用して庫内を冷却することができる。これにより、庫内を最適な状態に冷却することができ、冷やし過ぎや冷却不良を防止しながら省エネルギーを図ることができる。
【００１０】
また、冷却容量が大きな冷却コイルへの送風量を多く、冷却容量が小さな冷却コイルには送風量を少なくすることにより、庫内空気の冷却を効率よく行えるとともに、庫内空気の過剰な撹拌を防止することができる。さらに、熱輻射センサーや庫内の作業状態、周囲環境情報、季節情報に応じて冷却容量を選択することにより、冷却貯蔵庫内の冷却を更に効率よく行うことができる。また、一つの冷却貯蔵庫内に複数のユニットクーラーを設置して同様の運転を行うことにより、大きな冷却貯蔵庫の冷却も効率よく行うことができる。
【図面の簡単な説明】
【００１１】
【図１】本発明のユニットクーラーの運転方法を実施するユニットクーラーの一例を示す系統図である。
【図２】本発明のユニットクーラーの運転方法を実施する冷却貯蔵庫の一例を示す説明図である。
【図３】本発明で使用するユニットクーラーの一例を示す断面平面図である。
【図４】同じく断面側面図である。
【図５】同じく正面図である。
【発明を実施するための形態】
【００１２】
まず、図２乃至図５に示すように、ユニットクーラー１は、食品をはじめとする低温で保存する各種の物品２を収納するための冷却貯蔵庫３の上部に設けられている。ユニットクーラー１は、箱形のケーシング４の内部に冷凍サイクルを構成する冷却コイル５を収納するとともに、この冷却コイル５の一側に設けられた吸込口６から庫内空気Ａを吸い込み、冷却コイル５で冷却された冷却空気Ｃを冷却コイル５の他側に設けられた吹出口７から吹き出して庫内に循環させるためのファン８とを備えている。ケーシング４の一側には、冷却コイル５と庫外に設けられた冷凍機（図示せず）とを接続する冷媒導入管９と冷媒導出管１０とが設けられている。また、吹出口７にはファン８を覆うファンガード１１が設けられている。さらに、ケーシング４の下面には、冷却器に付着した霜を溶かして排出するためのドレン排水管１２が設けられている。
【００１３】
前記冷却コイル５は、冷却容量が大きな大型冷却コイル５ａと、冷却容量が前記大型冷却コイル５ａの半分の小型冷却コイル５ｂとを備えている。また、前記冷媒導入管９は、大型冷却コイル５ａに冷媒を導入する第１冷媒導入管９ａと、小型冷却コイル５ｂに冷媒を導入する第２冷媒導入管９ｂとに分岐しており、第１冷媒導入管９ａ及び第２冷媒導入管９ｂには、制御装置からの信号で開閉する第１電磁弁１３ａ及び第２電磁弁１３ｂと、膨張弁１４ａ，１４ｂとがそれぞれ設けられている。また、前記ファン８は、大型冷却コイル５ａに対応して設けられた２台の第１ファン８ａ，８ａと、小型冷却コイル５ｂに対応して設けられた１台の第２ファン８ｂとが設けられており、第１ファン８ａ，８ａは前記第１電磁弁１３ａの開閉に伴って運転及び停止あるいは減速し、第２ファン８ｂは前記第２電磁弁１３ｂの開閉に伴って運転及び停止あるいは減速するように形成されている。
【００１４】
このように形成したユニットクーラー１は、輻射熱センサー（図示せず）が検出した輻射熱の状況、即ち庫内の冷却負荷の状況に応じて大型冷却コイル５ａと小型冷却コイル５ｂとのいずれか１台、あるいは大型冷却コイル５ａ及び小型冷却コイル５ｂの双方を選択し、選択結果に基づいて第１電磁弁１３ａ及び第２電磁弁１３ｂを開閉制御し、いずれか１台の冷却コイルあるいは両方の冷却コイルに冷媒を導入するとともに、前記第１ファン８ａ、第２ファン８ｂの運転を制御して冷却運転を行う。
【００１５】
本形態例においては、小型冷却コイル５ｂの冷却容量を大型冷却コイル５ａの冷却容量の１／２に設定していることから、小型冷却コイル５ｂの冷却容量を「１」とすれば、大型冷却コイル５ａの冷却容量は「２」となり、両冷却コイル５ａ，５ｂを選択して双方に冷媒を導入したときのユニットクーラー１における冷却容量は「３」となり、両冷却コイル５ａ，５ｂへの冷媒の導入を止めたときには冷却容量が「０」となる。したがって、これらの冷却容量を百分率で表すと、両方の冷却コイル５ａ，５ｂを選択したときの１００％から、大型冷却コイル５ａを選択したときの６６％、小型冷却コイル５ｂを選択したときの３３％、そして、冷凍機を停止したときの０％の４段階に冷却容量を変更することができる。さらに、冷却コイルの冷却容量に合わせてファンの台数を設定することにより、冷却容量が大きい大型冷却コイル５ａの送風量を多くして冷却効率を高めることができる。
【００１６】
また、輻射熱センサーが検出した輻射熱によって前記冷却容量を変更することにより、庫外から庫内に物品２を搬入したときなど、搬入した物品２や作業者Ｍからの輻射熱に応じて冷却コイル５ａ，５ｂを選択して冷却運転を行うことができ、庫内温度が上昇する前にユニットクーラー１の冷却容量を変更することができる。これにより、庫内温度の上昇を抑えて効果的に冷却貯蔵庫３内を冷却することができる。一方、輻射熱が減少したときにはユニットクーラー１の冷却容量を低く設定することにより、冷凍機やファンの消費電力を低減することができ、冷却貯蔵庫３内を所定温度に冷却するための電力を削減して省エネルギーを図ることができる。
【００１７】
さらに、冷却貯蔵庫３内における作業状態や、冷却貯蔵庫３の周囲環境情報、季節情報に基づいて冷媒を導入する冷却コイル５ａ，５ｂを選択することによっても、冷却貯蔵庫３内を効率よく冷却することができ、これらの情報と前記輻射熱センサーの検出値とを合わせて冷却コイル５ａ，５ｂを選択することにより、冷却貯蔵庫３の冷却効率を更に向上させることができる。
【００１８】
なお、本形態例では冷却貯蔵庫内に、大小２台の冷却コイルを備えた１台のユニットクーラーを設置し、一つの輻射熱センサーによって制御するようにしているが、３台以上の冷却コイルを使用し、例えば冷却容量の比が１：２：４の３台の冷却コイルを設けることにより、ユニットクーラーとしての冷却容量を、ゼロを含めて８段階にすることも可能である。また、複数の輻射熱センサーを使用して１台のユニットクーラーを制御することも可能であり、一つの冷却貯蔵庫内に複数のユニットクーラーを配置するとともに、複数の輻射熱センサーを設けることにより、大きな冷却貯蔵庫でも効率よく冷却することができる。
【符号の説明】
【００１９】
１    ユニットクーラー
２    物品
３    冷却貯蔵庫
４    ケーシング
５    冷却コイル
５ａ    大型冷却コイル
５ｂ    小型冷却コイル
６    吸込口
７    吹出口
８    ファン
８ａ    第１ファン
８ｂ    第２ファン
９    冷媒導入管
９ａ    第１冷媒導入管
９ｂ    第２冷媒導入管
１０    冷媒導出管
１１    ファンガード
１２    ドレン排水管
１３ａ    第１電磁弁
１３ｂ    第２電磁弁
１４ａ，１４ｂ膨張弁
Ａ      庫内空気
Ｃ      冷却空気
Ｍ      作業者
【図１】
2011169534.tif 000003
【図２】
2011169534.tif 000004
【図３】
2011169534.tif 000005
【図４】
2011169534.tif 000006
【図５】
2011169534.tif 000007